(57)【要約】【課題】鍵部が鍵穴に挿入されたときに、鍵穴内に設けられた鍵穴部接触端子と接触する鍵部接触端子を備えた電子鍵において、鍵部接触端子が損傷などを受けないように保護された電子鍵を提供すること。【解決手段】鍵部３の表面に摺動体５を摺動自在に取付け、摺動体５を鍵部３上に配設された鍵部接触端子４を覆う位置と鍵部接触端子４を露出させる位置との間で摺動させ、圧縮スプリング６により摺動体５が常に鍵部接触端子４を覆う位置に位置されるように偏倚することにより、電子鍵１の不使用時には鍵部接触端子４を摺動体５で覆って損傷などを受けないようにした。【選択図】図３
2009068281.tif 000002
【特許請求の範囲】
【請求項１】
把持部と、鍵穴に挿入される鍵部と、該鍵部の表面に配設された鍵部接触端子と、前記鍵部表面に摺動自在に取付けられ、該鍵部表面に配設された前記鍵部接触端子を覆う位置と該鍵部接触端子を露出させる位置をとる摺動体と、該摺動体が常に前記鍵部接触端子を覆う位置に偏倚して位置するための偏倚手段と、を備えた電子鍵において、
前記鍵部を前記鍵穴に挿入したとき、前記摺動体が前記偏倚手段の偏倚力に逆らって摺動し前記鍵部接触端子を露出させる位置をとることを特徴とする電子鍵。
【請求項２】
前記摺動体の断面形状が前記鍵穴の断面形状より大きく形成されたとき前記鍵部を前記鍵穴に挿入すると、該鍵部のみが前記鍵穴に挿入され前記摺動体は前記鍵穴の外周縁と当接し前記偏倚手段の偏倚力に逆らって摺動するので、前記鍵穴内において前記鍵部接触端子が露出した状態となることを特徴とする請求項１に記載の電子鍵。
【請求項３】
前記鍵穴を前記摺動体も挿入できる大きさで形成すると、前記鍵部とともに前記摺動体も前記鍵穴に挿入され前記鍵穴内において前記鍵部接触端子が露出しないことを特徴とする請求項１、２に記載の電子鍵。
【請求項４】
前記摺動体は、その外側面に特定された形状の鍵山が形成されていることを特徴とする請求項１から３の何れかに記載の電子鍵。
【請求項５】
前記偏倚手段は、前記摺動体と前記把持部との間に介在された圧縮スプリングからなることを特徴とする請求項１に記載の電子鍵。
【発明の詳細な説明】
【技術分野】
【０００１】
本発明は、鍵部が鍵穴に挿入されたときに、鍵穴内に設けられた鍵穴部接触端子と接触する鍵部接触端子の接触状態に応じて制御回路部が作動する電子鍵に係り、鍵部接触端子が損傷などを受けることから保護される電子鍵に関する。
【背景技術】
【０００２】
近年、鍵の一種として電子鍵が普及しつつある。この種の鍵の従来例としては、例えば下記の特許文献１（特開平１１−７５１３号公報）に記載されている。これは、平鍵の握り手部分に相当する支持部と、同じく平鍵の鍵板部分に相当する鍵部とからなり、シリンダー錠などに使用される平鍵の概略形状を模した硬質性のケーシングが構成されている。
【０００３】
このケーシングの形成材料としては、その全体的な物理的な強度を高めるために通常に平鍵を形成するのに用いられるのと同様な金属材料を用いている。支持部には、データ記憶管理用の電子回路として、ＩＣカード用チップが内蔵されている。鍵部には、その表面の側面領域にＩＣカード用チップの複数の入出力端子にケーシングの内層を介して電気的に接続された入出力手段としての複数の鍵部接触端子が配設されている。また、各鍵部接触端子は所定の絶縁材料により鍵部から絶縁された状態で設けられている。
【０００４】
一方、鍵に対応して鍵穴状受容端末が形成されている。この鍵穴状受容端末は鍵部を差し込むことができるよう、鍵部の断面寸法より若干大きい開口面とその鍵部の長手寸法にほぼ等しい奥行とを有して形成された鍵穴部と、鍵部の表面の側面領域に配設された複数の鍵部接触端子の実配列に対応するよう鍵穴部の内面の側面領域に配設され、その鍵穴部に鍵部が差し込まれたときに複数の鍵部接触端子に対応接触する複数の鍵穴部接触端子を有してなる。
【０００５】
そして、この鍵穴受容端末は、その複数の鍵穴部接触端子が鍵部の複数の鍵部接触端子に接触するのに伴い、その複数鍵部接触端子に対し、所定の電気的条件を与えることにより内蔵させている電子回路を選択的に機能させる。
【特許文献１】特開平１１−７５１３号公報（段落［００４４］〜段落［００４６］、段落［００６１］〜段落［００６３］、図１、図３）
【発明の開示】
【発明が解決しようとする課題】
【０００６】
しかしながら、上記特許文献１に開示された鍵部の鍵部接触端子は、常に露出されているので鍵穴部に対して鍵部を挿抜することによって鍵部接触端子が損傷したり、塵埃が付着して鍵穴部接触端子との接続不良を生じたりすることがある。また、鍵部接触端子周辺に導電性の塵埃が付着すると鍵部接触端子と金属製の鍵部との間で電気的に接続されてしまうことがあるため、誤動作を生じてしまうという問題があった。
【０００７】
そこで、本願の発明者は上記の問題点を解決すべく種々検討を重ねた結果、鍵部を二重構造になせば、上記の問題点を解消し得ることを想到し本発明を完成するに至ったものである。すなわち、本発明は、上記の問題点を解消することを課題とし、特定の鍵穴に挿したときだけ鍵部接触端子が露出する構造にすることで、鍵部接触端子を保護することができる電子鍵を提供することを目的とするものである。
【課題を解決するための手段】
【０００８】
前記課題を解決するために、本願の請求項１に係る発明は、把持部と、鍵穴に挿入される鍵部と、該鍵部の表面に配設された鍵部接触端子と、前記鍵部表面に摺動自在に取付けられ、該鍵部表面に配設された前記鍵部接触端子を覆う位置と該鍵部接触端子を露出させる位置をとる摺動体と、該摺動体が常に前記鍵部接触端子を覆う位置に偏倚して位置するための偏倚手段と、を備えた電子鍵において、
前記鍵部を前記鍵穴に挿入したとき、前記摺動体が前記偏倚手段の偏倚力に逆らって摺動し前記鍵部接触端子を露出させる位置をとることを特徴とする。
【０００９】
本願の請求項２に係る発明は、前記摺動体の断面形状が前記鍵穴の断面形状より大きく形成されたとき前記鍵部を前記鍵穴に挿入すると、該鍵部のみが挿入され前記摺動体は前記鍵穴の外周縁と当接し前記偏倚手段の偏倚力に逆らって摺動するので、前記鍵穴内において前記鍵部接触端子が露出した状態となることを特徴とする。
【００１０】
本願請求項３に係る発明は、前記鍵穴を前記摺動体が挿入できる大きさで形成することで前記鍵部とともに前記摺動体も前記鍵穴に挿入でき、前記鍵穴内において前記鍵部接触端子は露出しないことを特徴とする。
【００１１】
本願請求項４に係る発明は、前記摺動体は、その外側面に特定された形状の鍵山が形成されていることを特徴とする。
【００１２】
本願請求項５に係る発明は、前記偏倚手段は、前記摺動体と前記把持部との間に介在された圧縮スプリングからなることを特徴とする。
【発明の効果】
【００１３】
本発明は、上述した解決手段により以下に述べるとおりの優れた効果を奏する。
【００１４】
すなわち、本願の請求項１に係る発明によれば、鍵部表面に摺動自在に取付けられ、鍵部表面に配設された鍵部接触端子を覆う位置と鍵部接触端子を露出させる位置をとる摺動体と、摺動体が常に鍵部接触端子を覆う位置に偏倚して位置するための偏倚手段と、を備え、鍵部を鍵穴に挿入したとき、摺動体が偏倚手段の偏倚力に逆らって摺動し鍵部接触端子を露出させる位置をとるように構成されている。
【００１５】
このような構成によれば、鍵部を鍵穴に挿入したときに鍵部接触端子が摺動体により覆われていた状態から解放されるので、鍵穴内において鍵穴部接触端子との接触が可能となり接触状態に応じて開錠作業が実行される。
【００１６】
また、請求項２に係る発明によれば、摺動体の断面形状が鍵穴の断面形状より大きく形成されたとき鍵部を鍵穴に挿入すると、鍵部のみが鍵穴に挿入され摺動体は鍵穴の外周縁と当接し偏倚手段の偏倚力に逆らって摺動するので、鍵穴内において鍵部接触端子が露出した状態となる。
【００１７】
このような構成によれば、鍵部を鍵穴に挿入したときに鍵部接触端子が摺動体により覆われていた状態から解放されるので、鍵穴部接触端子との接触が可能となって接触状態に応じて開錠作業が実行される。
【００１８】
また、請求項３に係る発明によれば、鍵穴を摺動体も挿入できる大きさで形成することで鍵部とともに摺動体も鍵穴に挿入でき、鍵穴内において鍵部接触端子が露出しなくなる。
【００１９】
このような構成によれば、摺動体が鍵部接触端子を覆う位置のままであるため、損傷を受けること、塵埃の付着などから保護される。従って、誤動作をまったく生じない電子鍵を提供できる。
【００２０】
また、本願の請求項４に係る発明によれば、摺動体は、その外側面に特定された形状の鍵山が形成されている。
【００２１】
このような構成によれば、常に鍵部接触端子を覆って保護する摺動体は、摺動体も挿入可能な鍵穴に挿入するときは鍵山によって機械的な錠を作動させることができる。一方、鍵部のみが挿入される鍵穴に鍵部を挿入した場合には、鍵部接触端子が摺動体により覆われている状態から開放され鍵穴内において鍵部接触端子と鍵穴部接触端子とが接触することで電子的な錠を作動させることができる。従って、鍵部接触子が損傷、塵埃の付着などから保護されると共に、機械的な錠と電子的な錠とに適用できる電子鍵を提供できる。
【００２２】
また、本願の請求項５に係る発明によれば、前記偏倚手段は、摺動体と把持部との間に介在された圧縮スプリングからなる。
【００２３】
このような構成によれば、鍵部を鍵穴に挿入したときに鍵部接触端子が摺動体により覆われていた状態から解放されるので、鍵穴部接触端子との接触が可能となって接触状態に応じて開錠作業が実行される。そして、鍵部が鍵穴に挿入していないときには、鍵部接触端子が偏倚手段である圧縮スプリングにより摺動する摺動体によって覆われているので、損傷を受けること、塵埃の付着などから保護される。従って、誤動作をまったく生じない電子鍵を提供できる。
【発明を実施するための最良の形態】
【００２４】
以下、本発明の具体例を実施例及び図面を用いて詳細に説明する。ただし、以下に示す実施形態は、本発明の技術思想を具体化するための一実施の形態として例示するものであって、本発明をこの実施の形態に特定することを意図するものでなく、特許請求の範囲に含まれるその他の実施形態のものにも等しく適用し得るものである。
【実施例１】
【００２５】
以下、本発明の実施例１について図面を参照して説明する。図１は本発明の実施例１に係る電子鍵の側面図、図２は図１の正面図、図３は図１において摺動体と把持部を断面とした電子鍵の側面図、図４は本発明の実施例１に係る電子鍵を鍵穴に挿入する前の状態を示す説明図、図５は本発明の実施例１に係る電子鍵を鍵穴に挿入した状態を示す説明図である。
【００２６】
この電子鍵１は、図１〜図３で示すように、把持部２と、一端が把持部２に固定され他端部分が鍵穴に挿入される鍵部３と、鍵部３の表面に配設された鍵部接触端子４と、鍵部３の表面において長手方向に摺動自在に取付けられることで鍵部接触端子４を覆う位置と鍵部接触端子４を露出させる位置をとる摺動体５と、把持部２と摺動体５との間に介在し、摺動体５が常に鍵部接触端子４を覆う位置に偏倚するための偏倚手段を形成する圧縮スプリング６とから構成されている。
【００２７】
また、図示されていないが、把持部２には鍵部接触端子４に接続されたＩＣチップが設けられており、このＩＣチップは当該電子鍵の識別データを記憶している。そして、鍵部を鍵穴に挿入したとき、鍵部接触端子４と鍵穴部接触端子（図示せず）とが接触し、このとき鍵部接触端子４がＩＣチップから当該電子鍵の識別データを取り出し、取り出した識別データと鍵穴部接触端子に記憶されている識別データとが一致すると開錠条件が整ったと判断され開錠動作が実行される。
【００２８】
なお、本実施例においては、識別データの一致、不一致の照合および開錠動作の実行は鍵穴内に設けられた制御回路(図示せず)により行われるものとする。
【００２９】
また、把持部２には凹部２１が形成されており、この凹部２１の底面に鍵部３の一端が固定されている。また、圧縮スプリング６は凹部２１内に配されている。
【００３０】
鍵部３と摺動体５との間にはストッパー７が設けられ、摺動体５が鍵部接触端子４を覆う位置で保持されるようになっている。
【００３１】
鍵部３の表面には摺動体５の摺動方向と平行に凸部３１が連続的に形成されている。摺動体５の内面には凸部３１に係合する溝部５１が形成され、摺動体５が凸部３１に案内されて鍵部３上を摺動するようになっている。
【００３２】
摺動体５はその断面形状が図４、図５で示すように第１の開錠装置８１に設けられた鍵穴８よりも大きく形成されている。
【００３３】
次に、上述した実施例１における電子鍵１の取り扱いについて図４、図５を参照して説明する。
【００３４】
図４で示すように、鍵穴に挿入されておらず不使用状態の電子鍵１においては、摺動体５が圧縮スプリング６によって鍵部３上の左方に偏倚されて鍵部接触端子４を覆っている。このとき、ストッパー７によって摺動体５が鍵部３上を左方に行き過ぎないように保持される。従って、鍵部接触端子４は露出されない状態にある。
【００３５】
図５で示すように、電子鍵１の使用状態（鍵部３を第１の開錠装置８１に設けられた鍵穴８に挿入した状態）においては、摺動体５の断面形状が第１の開錠装置８１に設けられた鍵穴８よりも大きく形成されているため摺動体５は鍵穴８に挿入されず摺動体５の一部が鍵穴８の外周縁に当接する。この状態でさらに把持部２を押すことにより圧縮スプリング６が圧縮されるので、摺動体５は鍵穴とは反対の方向へ偏倚して把持部２の凹部２１内に入り込む。
【００３６】
一方、鍵穴８に挿入された鍵部３は、鍵部接触端子４が摺動体５によって覆われなくなり鍵穴８の内部で露出した状態となる。露出した鍵部接触端子４は鍵穴内の鍵穴部接触端子と接触し、制御回路により両者の識別データが一致したと判断されると開錠動作が実行される。
【００３７】
従って、上述した実施例１の電子鍵１によれば、鍵部接触端子４は、鍵部３を鍵穴８に挿入したときに摺動体５によって覆われた状態から開放され、鍵穴部接触端子と接触し開錠条件が整うと開錠動作を達成する。そして、鍵部３が鍵穴８に挿入されていない不使用状態では、鍵部接触端子４が常に摺動体５によって覆われているので、損傷を受けること、塵埃の付着などから保護される。そのため、接触不良、絶縁不良などが発生して電子鍵１による開錠に誤動作が生じなくなる。
【実施例２】
【００３８】
以下、本発明の実施例２について図面を参照して説明する。図６は本発明の実施例２に係る電子鍵の側面図、図７は図６の正面図、図８は図６において摺動体と把持部を断面とした電子鍵の側面図、図９は本発明の実施例２に係る電子鍵が電子的な鍵として適用される電子錠用鍵穴を示す正面図、図１０は本発明の実施例2に係る電子鍵を図９に示す電子錠用鍵穴に挿入した状態を示す説明図、図１１は本発明の実施例２に係る電子鍵が機械的な鍵として適用される機械錠用鍵穴を示す正面図、図１２は本発明の実施例２に係る電子鍵を図１１に示す機械錠用鍵穴に挿入した状態を示す説明図である。なお、実施例１と同一部分は同一符号を付してその説明を省略する。
【００３９】
なお、以下に説明する電子的な鍵とは、鍵部接触端子と鍵内部接触端子とが鍵穴内において接触し制御回路により両者の識別データが一致したと判断されると開錠動作が実行されるものであり、例えば、自動車のエンジン始動用として適用される。また、機械的な鍵とは、鍵穴に鍵を挿入し回動させたとき、鍵に設けられた鍵山によって錠を開錠させるものであり、例えば、トランク、ドア開閉用として適用することができる。
【００４０】
図６〜図８で示すように、鍵部３は把持部２に固定されているが、鍵部３の表面には鍵山９１が形成された摺動体９が摺動自在に設けられている。摺動体９は圧縮スプリング６によって常に鍵部接触端子４を覆う位置に偏倚されている。
【００４１】
鍵部３の表面には摺動体９の摺動方向と平行に溝部３２が形成されている。摺動体９の内面には溝部３２に係合する凸部９２が形成され、摺動体９が溝部３２に案内されて鍵部３上を摺動するようになっている。
【００４２】
図９で示すように、第２の開錠装置８２に設けられた電子的な錠としての電子錠用鍵穴１０が鍵部３の断面形状と同じ形状で形成されている。また、図１１で示すように、第３の開錠装置８３に設けられた機械的な錠としての機械錠用鍵穴１１が摺動体９の断面形状と同じ形状で形成されている。
【００４３】
次に、上述した実施例２における電子鍵１の取り扱いについて説明する。
【００４４】
図６、図８で示すように、電子鍵１の不使用状態においては、摺動体９が圧縮スプリング６によって鍵部３上の左方に偏倚され鍵部接触端子４を覆っている。この位置はストッパー７によって保持される。従って、鍵部接触端子４は露出されない状態にある。
【００４５】
電子鍵１が図９で示す電子錠用鍵穴１０を有する電子的な開錠装置８２に用いられる場合について説明する。この場合は、図１０で示すように電子錠用鍵穴１０に鍵部３を挿入すると鍵部３だけが電子錠用鍵穴１０に挿入される。摺動体９はその断面形状が電子錠用鍵穴１０よりも大きいため電子錠用鍵穴１０に挿入されず一部が電子錠用鍵穴１０の外周縁に当接される。この状態でさらに把持部２を押せば、圧縮スプリング６が圧縮されるので、摺動体９は鍵穴とは反対方向へ偏倚し把持部２の凹部２１内に入り込む。
【００４６】
電子錠用鍵穴１０に挿入された鍵部３は、鍵部接触端子４が摺動体９によって覆われなくなり電子錠用鍵穴１０の内部で露出する。露出された鍵部接触端子４は鍵穴部接触端子に接触し、制御回路により両者の識別データが一致したと判断されると開錠動作が実行される。
【００４７】
一方、電子鍵１が図１１で示す機械錠用鍵穴１１を有する機械的な開錠装置８３に用いられる場合について説明する。この場合は、図１２で示すように機械錠用鍵穴１１に鍵部３を挿入すると、機械的な開錠装置８３の機械錠用鍵穴１１が摺動体９を挿入できる大きさで形成されているため、鍵部３とともに摺動体９も機械錠用鍵穴１１に挿入される。摺動体９を機械錠用鍵穴１１に完全に挿入した状態で鍵を回動させると鍵山９１によって錠を開錠させることができる。
【００４８】
従って、上述した実施例２の電子鍵１によれば、鍵部接触端子４は、不使用状態では鍵部接触端子４が常に摺動体５によって覆われているので、損傷を受けること、塵埃の付着などから保護される。そのため、接触不良、絶縁不良などが発生して電子鍵１による開錠に誤動作を生じることがない。
【００４９】
鍵部接触端子４は、鍵部３を電子錠用鍵穴８に挿入したときに摺動体９によって覆われた状態から開放され、鍵穴部接触端子と接触して開錠動作を達成する。一方、常に鍵部接触子４を覆って保護する摺動体９は、摺動体９が挿入される機械錠用鍵穴１１に挿入することにより鍵山９１によって機械的な錠を作動させることができる。そのため、機械的な錠と電子的な錠とに適用できる電子鍵１を提供できる。
【図面の簡単な説明】
【００５０】
【図１】本発明の実施例１に係る電子鍵の側面図である。
【図２】図１の正面図である。
【図３】図１において摺動体と把持部を断面とした電子鍵の側面図である。
【図４】本発明の実施例１に係る電子鍵を鍵穴に差し込む前の状態を示す説明図である。
【図５】本発明の実施例１に係る電子鍵を鍵穴に差し込んだ状態を示す説明図である。
【図６】本発明の実施例２に係る電子鍵の側面図である。
【図７】図６の正面図である。
【図８】図６において摺動体と把持部を断面とした電子鍵の側面図である。
【図９】本発明の実施例２に係る電子鍵が電子的な鍵として適用される電子錠用鍵穴を示す正面図である。
【図１０】本発明の実施例２に係る電子鍵を図９に示す電子錠用鍵穴に差し込んだ状態を示す説明図である。
【図１１】本発明の実施例２に係る電子鍵が機械的な鍵として適用される機械錠用鍵穴を示す正面図である。
【図１２】本発明の実施例２に係る電子鍵を図１１に示す機械錠用鍵穴に差し込んだ状態を示す説明図である。
【符号の説明】
【００５１】
１          電子鍵
２          把持部
３          鍵部
４          鍵部接触端子
５          摺動体
６          圧縮スプリング
７          ストッパー
８          第１の開錠装置８１に設けられた鍵穴
９          摺動体
１０        第２の開錠装置８２に設けられた鍵穴
１１        第３の開錠装置８３に設けられた鍵穴
２１        凹部
３１        凸部
３２        溝部
５１        溝部
８１        第１の開錠装置
８２        第２の開錠装置
８３        第３の開錠装置
９１        鍵山
９２        凸部
【図１】
2009068281.tif 000003
【図２】
2009068281.tif 000004
【図３】
2009068281.tif 000005
【図４】
2009068281.tif 000006
【図５】
2009068281.tif 000007
【図６】
2009068281.tif 000008
【図７】
2009068281.tif 000009
【図８】
2009068281.tif 000010
【図９】
2009068281.tif 000011
【図１０】
2009068281.tif 000012
【図１１】
2009068281.tif 000013
【図１２】
2009068281.tif 000014